(57)【要約】【課題】以前に使用した画像フィルターを複数の画像データに施したアルバムを容易に作成できるようにする。【解決手段】画像形成装置は、操作パネル、印刷部、画像読取部、記憶部、制御部を含む。画像読取部は基準画像データを生成する。記憶部は画像フィルターを記憶する。制御部はアルバム用画像データを取得する。制御部は、基準画像データに含まれる画像領域を認識し、使用された画像フィルターを判定する。制御部は、使用されたと判定した画像フィルターによる画像処理を、取得したそれぞれのアルバム用画像データに施し、アルバムデータを生成する。【選択図】図１０
2019140600.tif 000002
【特許請求の範囲】
【請求項１】
操作を受け付ける操作パネルと、
印刷を行う印刷部と、
原稿を読み取って基準画像データを生成する画像読取部と、
複数の画像フィルターを記憶する記憶部と、
アルバムに含める画像データであるアルバム用画像データを取得し、
前記基準画像データに含まれる画像領域を認識し、
前記画像領域で使用された前記画像フィルターを判定し、
使用されたと判定した前記画像フィルターによる画像処理を、取得したそれぞれの前記アルバム用画像データに施し、
前記画像フィルターによる画像処理後の前記アルバム用画像データを含むアルバムデータを生成し、
生成した前記アルバムデータを前記印刷部に印刷させる制御部と、を含むことを特徴とする画像形成装置。
【請求項２】
前記制御部は、
前記画像領域の各画素の画素値に基づき、前記画像領域で使用された前記画像フィルターを判定することを特徴とする請求項１に記載の画像形成装置。
【請求項３】
前記制御部は、
使用された前記画像フィルターであるフィルター情報を前記基準画像データが含むか否かを判断し、
前記基準画像データが含む前記フィルター情報に基づき、前記画像領域で使用された前記画像フィルターを判定することを特徴とする請求項１又は２に記載の画像形成装置。
【請求項４】
前記制御部は、
いずれかの前記画像フィルターによる画像処理がなされた画像データである処理済データを前記記憶部に記憶させ、
前記処理済データに対応付けて、前記処理済データに用いられた前記画像フィルターの記録を前記記憶部に記憶させ、
前記画像領域と類似する前記処理済データを検索し、
類似する前記処理済データを抽出できたとき、抽出した前記処理済データに対応付けられた前記画像フィルターを、前記画像領域で使用された前記画像フィルターと判定することを特徴とする請求項１乃至３の何れか１項に記載の画像形成装置。
【請求項５】
前記操作パネルは、それぞれの前記アルバム用画像データのサイズを前記画像領域と同じサイズとする第１サイズ設定を受け付け、
前記制御部は、
前記第１サイズ設定がなされたとき、それぞれの前記アルバム用画像データのサイズを前記画像領域と同じサイズとするサイズ調整を行い、
前記サイズ調整後の前記アルバム用画像データを含む前記アルバムデータを生成することを特徴とする請求項１乃至４の何れか１項に記載の画像形成装置。
【請求項６】
前記制御部は、切り抜き処理と拡大処理の何れか一方、又は、両方を行って、前記サイズ調整を行うことを特徴とする請求項５に記載の画像形成装置。
【請求項７】
前記操作パネルは、前記アルバム用画像データのサイズを変更しない第２サイズ設定を受け付け、
前記制御部は、
前記第２サイズ設定がなされたとき、サイズを調整しない前記アルバム用画像データを含む前記アルバムデータを生成することを特徴とする請求項１乃至６の何れか１項に記載の画像形成装置。
【請求項８】
前記操作パネルは、前記基準画像データで用いられているフレームを用いるフレーム利用設定を受け付け、
前記制御部は、
前記フレーム利用設定がなされたとき、前記基準画像データから前記フレーム画像を抽出し、
前記フレーム画像を付した前記アルバム用画像データを含む前記アルバムデータを生成することを特徴とする請求項１乃至７の何れか１項に記載の画像形成装置。
【請求項９】
前記操作パネルが前記画像読取部を用いて前記アルバム用画像データを取得する設定を受け付けたとき、
前記制御部は、前記アルバム用画像データの取得のための読み取りを前記画像読取部に行わせることを特徴とする請求項１乃至８の何れか１項に記載の画像形成装置。
【請求項１０】
前記操作パネルが前記記憶部から前記アルバム用画像データを取得する設定を受け付けたとき、
前記制御部は、前記アルバム用画像データとする画像データを前記記憶部に読み出させることを特徴とする請求項１乃至９の何れか１項に記載の画像形成装置。
【請求項１１】
携帯型メモリーを接続可能であり、前記携帯型メモリーの読み書きを行うためのメモリー通信部を含み、
前記操作パネルが前記携帯型メモリーから前記アルバム用画像データを取得する設定を受け付けたとき、
前記制御部は、前記アルバム用画像データとする画像データの前記携帯型メモリーからの読み出しを前記メモリー通信部に行わせることを特徴とする請求項１乃至１０の何れか１項に記載の画像形成装置。
【発明の詳細な説明】
【技術分野】
【０００１】
本発明は画像データ（写真）を含むアルバムを作成、印刷する画像形成装置に関する。
【背景技術】
【０００２】
近年では、デジタルカメラやスマートフォンで気軽に写真をとることができる。また、写真の画像データを加工することがある。例えば、スタンプを押すことや、画像を縁取るフレームを付すことがある。このような画像データへの加工を行える技術の一例が特許文献１に記載されている。
【０００３】
具体的に、特許文献１には、画像データが入力され、画像データを縮小したサムネイル画像を選択可能に表示し、選択されたサムネイル画像に対応する画像データへの編集指示を受け付け、画像データの編集を行い、編集された画像データを印刷し、編集指示は、画像周縁部の少なくとも一部へのラインの挿入指示と、挿入するラインの幅及び位置の指定とを含む画像プリント装置が記載されている。この構成により、写真の画像データを縁取るフレームに関する設定を行えるようにする（特許文献１：請求項１、要約参照）。
【先行技術文献】
【特許文献】
【０００４】
【特許文献１】特開２０１７−１２３５７３号公報
【発明の概要】
【発明が解決しようとする課題】
【０００５】
色変換用のフィルターをかけて、写真の画像データを加工する場合がある。例えば、コントラストを強める、赤みや青みを強める、モノトーンにする、といったフィルターがある。この場合、写真の画像データに対して、選択したフィルターに対応する画像処理がなされる。例えば、撮影者は、撮影した写真に好みのフィルターを施す（よい雰囲気にする）。そして、撮影者は、画像フィルターによる画像処理後の写真の画像データをＳＮＳにアップロードする。
【０００６】
また、写真の画像データを複数枚まとめたアルバムをつくりたい者もいる。このとき、アルバムに含める画像データに同じフィルターをかけると、写真の雰囲気が統一されたアルバムを作成することができる。このとき、以前に、使用したフィルターと同じフィルターを用いたいと思う者もいる。
【０００７】
画像フィルターをかける場合、撮影者は、写真の画像データをアプリケーション上で開く。そして、撮影者は複数種類のフィルターから、適用するフィルターを１つ選ぶ。つまり、写真の画像データごとに、適用するフィルターを選ぶ操作を行う必要がある。アルバムに含める画像データのそれぞれに、同じフィルターをかける操作は面倒である。また、フィルターは、十数〜数十種類用意されることがある。フィルターの数が多い場合、以前に、使用したフィルターを忘れる場合がある。自分好みのフィルターをかけたアルバムを容易に得ることができないという問題がある。
【０００８】
特許文献１記載の技術では、画像データを縁取るフレームを設定することができる。しかし、フレームの設定は、写真１枚ごとに行う必要がある。また、アルバムの作成に関する記載はない。特許文献１記載の技術では、上記の問題を解決することはできない。
【０００９】
本発明は上記従来技術の問題点に鑑み、以前に使用した画像フィルターを複数の画像データに施したアルバムを容易に作成できるようにする。
【課題を解決するための手段】
【００１０】
本発明に係る画像形成装置は、操作パネル、印刷部、画像読取部、記憶部、制御部を含む。前記操作パネルは、操作を受け付ける。前記印刷部は印刷を行う。前記画像読取部は、原稿を読み取って基準画像データを生成する。前記記憶部は、複数の画像フィルターを記憶する。前記制御部は、アルバムに含める画像データであるアルバム用画像データを取得する。前記制御部は、前記基準画像データに含まれる画像領域を認識する。前記制御部は、前記画像領域で使用された前記画像フィルターを判定する。前記制御部は、使用されたと判定した前記画像フィルターによる画像処理を、取得したそれぞれの前記アルバム用画像データに施す。前記制御部は、前記画像フィルターによる画像処理後の前記アルバム用画像データを含むアルバムデータを生成する。前記制御部は、生成した前記アルバムデータを前記印刷部に印刷させる。
【発明の効果】
【００１１】
本発明によれば、以前に使用したフィルターを用いて、写真のアルバムを容易に作成することができる。
【図面の簡単な説明】
【００１２】
【図１】実施形態に係る画像形成装置の一例を示す図である。
【図２】実施形態に係る画像形成装置のアルバム作成モードの設定画面の一例を示す。
【図３】実施形態に係る画像形成装置のアルバム作成モードの設定画面の一例を示す。
【図４】実施形態に係る画像形成装置のアルバム作成モードの設定画面の一例を示す。
【図５】実施形態に係る画像形成装置のアルバム作成モードの設定画面の一例を示す。
【図６】実施形態に係る画像形成装置のアルバム作成モードの設定画面の一例を示す。
【図７】実施形態に係る画像形成装置のアルバム作成モードの設定画面の一例を示す。
【図８】実施形態に係る画像形成装置のアルバム作成モードの設定画面の一例を示す。
【図９】実施形態に係る画像形成装置のアルバム作成モードの設定画面の一例を示す。
【図１０】実施形態に係るアルバム作成処理の流れの一例を示す図である。
【図１１】実施形態に係る画像形成装置での画像領域の抽出の一例を示す図である。
【図１２】実施形態に係る画像形成装置で生成されるアルバムの一例を示す図である。
【図１３】実施形態に係るサイズ確認画面の一例を示す図である。
【図１４】実施形態に係る画像形成装置で生成されるアルバムの一例を示す図である。
【図１５】実施形態に係る画像形成装置で生成されるアルバムの一例を示す図である。
【発明を実施するための形態】
【００１３】
以下、図１〜図１５を用いて本発明の実施形態を説明する。画像形成装置１００として複合機を例に挙げて説明する。以下の本実施の形態に記載されている構成、配置等の各要素は、発明の範囲を限定せず、単なる説明例にすぎない。
【００１４】
（画像形成装置１００）
図１に基づき実施形態に係る画像形成装置１００の一例を説明する。図１は、実施形態に係る画像形成装置１００の一例を示す図である。
【００１５】
画像形成装置１００は制御部１、記憶部２、画像読取部３、操作パネル４、印刷部５、メモリー通信部６、通信部１３を含む。
【００１６】
制御部１は画像形成装置１００の動作を制御する。制御部１はＣＰＵ１１、画像処理回路１２を含む基板である。ＣＰＵ１１は画像形成装置１００に関する制御、演算を行う。ＣＰＵ１１は、記憶部２に記憶されるプログラム、データに基づき画像形成装置１００の各部の制御、各種の演算処理を行う。画像処理回路１２は、印刷用画像データを生成する。画像処理回路１２は画像フィルター７による画像処理も行える。
【００１７】
記憶部２は、ＲＯＭ、ＲＡＭ、ストレージを含む。例えば、ストレージは、ＨＤＤやＳＳＤである。記憶部２は、画像形成装置１００の制御用の設定データ、画像データ、制御用のプログラム、ファイルを記憶できる。記憶部２は、複数種類の画像フィルター７（写真フィルター）を記憶する。画像フィルター７は、画像データの各画素の色を変換するための色変換フィルターである。画像処理回路１２は、画像フィルター７を用いて、画像データの色を変換できる。
【００１８】
記憶部２は、数十種類の画像フィルター７を記憶できる。例えば、記憶部２は、赤みを抑え、青や緑の彩度とコントラストを強調する画像フィルター７を記憶してもよい。記憶部２は、白や赤みを強調して印象を明るくする画像フィルター７を記憶してもよい。記憶部２は、写真をビンテージ調にする画像フィルター７を記憶してもよい。記憶部２は、全体的にオレンジ色（夕焼け色）にする画像フィルター７を記憶してもよい。記憶部２は、クロス現像風にする画像フィルター７を記憶してもよい。記憶部２は、全体に青味をかける画像フィルター７を記憶してもよい。記憶部２は、各画素をモノトーンにする（グレー化する）画像フィルター７を記憶してもよい。記憶部２は、上記以外の色変換効果を有する画像フィルター７を記憶してもよい。
【００１９】
画像読取部３は原稿を読み取る。画像読取部３は原稿の画像データを生成する。原稿読み取りのため、画像読取部３は、光源（ランプ）、レンズ、イメージセンサー（ラインセンサー）を含む。画像読取部３は原稿をセットするためのコンタクトガラスを含む。画像読取部３は、コンタクトガラスにセットされた原稿を読み取り、画像データを生成する。
【００２０】
操作パネル４は、表示パネル４１、タッチパネル４２、ハードキー４３を含む。表示パネル４１は画面、画像を表示する。制御部１は表示パネル４１の表示を制御する。制御部１は、ジョブの設定に用いる操作画像を表示パネル４１に表示させる。操作画像は、例えば、ボタンやキーである。タッチパネル４２は使用者の操作を受け付ける。タッチパネル４２は表示パネル４１の上面に設けられる。タッチパネル４２はタッチ位置を認識する。タッチパネル４２の出力に基づき、制御部１は、操作された操作画像を認識する。操作された操作画像に基づき、制御部１は、使用者の操作内容を認識する。ハードキー４３も使用者の操作を受け付ける。
【００２１】
印刷部５は、給紙部５ａ、用紙搬送部５ｂ、画像形成部５ｃ、定着部５ｄを含む。制御部１はこれらの部分の動作を制御する。制御部１は、例えば、給紙、用紙搬送、トナー像の形成、転写、定着を制御する。印刷ジョブのとき、制御部１は用紙を１枚ずつ給紙部５ａに供給させる。制御部１は、供給された用紙を用紙搬送部５ｂに搬送させる。制御部１は、印刷用画像データに基づくトナー像を画像形成部５ｃに形成させる。画像形成部５ｃは、カラー印刷可能である。カラー印刷の場合、画像形成部５ｃは、複数色のトナー像を形成する。制御部１は、搬送される用紙へのトナー像の転写を画像形成部５ｃに行わせる。制御部１は用紙のトナー像を定着部５ｄに定着させる。制御部１は、定着後の用紙の機外への排出を用紙搬送部５ｂに行わせる。
【００２２】
メモリー通信部６は携帯型メモリー２００を接続する部分である。以下の説明では、携帯型メモリー２００がＵＳＢメモリーである例を説明する。なお、携帯型メモリー２００はメモリーカードでもよい。メモリー通信部６は、携帯型メモリー２００と通信するためのハードウェア（各種ソケット、通信用回路）を含む。また、メモリー通信部６は、携帯型メモリー２００と通信するための通信用ソフトウェアを備える。メモリー通信部６は、接続された携帯型メモリー２００のデータの読み書きを行う。
【００２３】
通信部１３は通信用のハードウェア（各種ソケット、通信用回路）と通信用ソフトウェアを備える。通信部１３はネットワークと通信可能に接続される。通信部１３は、ネットワークを介して、コンピューター３００と通信する。通信部１３は、コンピューター３００からファイルを受信する。制御部１は受信したファイルに基づく印刷を印刷部５に行わせる。また、制御部１は、コンピューター３００から受信したデータを記憶部２に記憶させることもできる。
【００２４】
（アルバム作成モードの設定）
次に、図２〜図９を用いて、実施形態に係る画像形成装置１００のアルバム作成モードの設定の一例を説明する。図２〜図９は、実施形態に係る画像形成装置１００のアルバム作成モードの設定画面の一例を示す。
【００２５】
アルバム作成モードは、基準画像データ８に含まれる画像領域８０（基準画像、写真画像）に用いられた画像フィルター７を模倣し、アルバムを作成するモードである。アルバム作成モードのとき、制御部１は、取得された基準画像データ８で使用された画像フィルター７を判定する。次に、制御部１（画像処理回路１２）は、判定した前記画像フィルター７による画像処理を、アルバム用画像データ９に施す。制御部１は、画像フィルター７による画像処理後のアルバム用画像データ９を含むアルバムデータ９０を生成する。制御部１は、生成したアルバムデータ９０に基づく印刷を印刷部５に行わせる。
【００２６】
図２は、ホーム画面４ａの一例を示す図である。ホーム画面４ａは、階層的に最上位の画面である。ホーム画面４ａは、画像形成装置１００で実行するジョブの種類を選択するための画面である。主電源投入時、省電力モードからの復帰時、ジョブ完了時、先の操作からオートリセット時間が経過したとき、制御部１は、ホーム画面４ａを表示パネル４１に表示させる。
【００２７】
図２に示すホーム画面４ａでは、コピー、ＦＡＸ、スキャン送信、ジョブボックス、アルバム作成モード、ＩＤカードコピーのうち、何れかを選択することができる。アルバム作成モードを用いる場合、使用者は、アルバム作成モード選択ボタンＢ１を操作する。操作パネル４がアルバム作成モード選択ボタンＢ１の操作を受け付けたとき、制御部１は、第１スキャン画面４ｂを表示パネル４１に表示させる。図３は、第１スキャン画面４ｂの一例を示す。
【００２８】
第１スキャン画面４ｂは、基準画像データ８の取得のための画面である。基準画像データ８は、画像フィルター７による画像処理がなされた画像の印刷物（原稿）を読み取って得られた画像データである。基準画像データ８は使用された画像フィルター７の判定に用いられる画像データである。
【００２９】
第１スキャン画面４ｂに表示されるように、使用者は、基準画像データ８の生成のために読み取らせる原稿をセットする。使用者は原稿（写真、印刷物）をコンタクトガラスにセットする。コンタクトガラスにセットする原稿は、１枚でもよい。コンタクトガラスに複数枚の原稿がセットされてもよい。
【００３０】
操作パネル４が第１スキャン画面４ｂのスタートボタンＢ２の操作を受け付けたとき、制御部１は、コンタクトガラス上の原稿を画像読取部３に読み取らせる。原稿の読み取り漏れを防ぐため、制御部１は、読み取り可能な最大サイズで読み取りを行わせる。制御部１は、１回読み取るごとに、連続して読み取りを行うか否かの確認メッセージを表示パネル４１に表示させてもよい。使用者は別の原稿をコンタクトガラスにセットしてもよい。そして、使用者は、操作パネル４に連続読み取りを指示する操作を行ってもよい。この場合、制御部１は、再度、コンタクトガラス上の原稿を画像読取部３に読み取らせる。操作パネル４が読み取り完了指示を受け付けるまで、制御部１は、原稿の読み取りを画像読取部３に繰り返させてもよい。制御部１は、読み取りで得られた画像データを基準画像データ８として、記憶部２に記憶させる（図１参照）。
【００３１】
基準画像データ８の取得完了後、制御部１は、取得元設定画面４ｃを表示パネル４１に表示させる。図４は、取得元設定画面４ｃの一例を示す。取得元設定画面４ｃは、アルバム用画像データ９の取得に関する設定画面である。アルバム用画像データ９は、作成するアルバムに含める画像データである。
【００３２】
取得元設定画面４ｃには、スキャンボタンＢ３、ストレージボタンＢ４、メモリーボタンＢ５が配される。原稿を読み取ってアルバム用画像データ９を取得する場合、使用者はスキャンボタンＢ３を操作する。記憶部２に不揮発的に記憶された画像データをアルバム用画像データ９とする場合、使用者はストレージボタンＢ４を操作する。携帯型メモリー２００に記憶された画像データをアルバム用画像データ９とする場合、使用者はメモリーボタンＢ５を操作する。
【００３３】
アルバムに含めたい画像（写真）の現物を所持している場合、使用者は、スキャンボタンＢ３を操作すればよい。操作パネル４がスキャンボタンＢ３の操作後、ネクストボタンＢ６の操作を受け付けたとき、制御部１は、第２スキャン画面４ｄを表示パネル４１に表示させる。図５は、第２スキャン画面４ｄの一例を示す。使用者は、アルバムに含めたい画像を含む原稿をコンタクトガラスにセットする。
【００３４】
操作パネル４が第２スキャン画面４ｄのスタートボタンＢ７の操作を受け付けたとき、制御部１は、コンタクトガラス上の原稿を画像読取部３に読み取らせる。制御部１は、１回読み取るごとに、連続して読み取りを行うか否かの確認メッセージを表示パネル４１に表示させてもよい。使用者は、操作パネル４に読み取り続行指示を入力してもよい。この場合、使用者は、別の原稿をコンタクトガラスにセットする。制御部１は、再度、コンタクトガラス上の原稿を画像読取部３に読み取らせる。制御部１は、操作パネル４が読み取り完了指示を受け付けるまで、原稿の読み取りを繰り返させてもよい。制御部１は、読み取りで得られた画像データをアルバム用画像データ９として、記憶部２に記憶させる（図１参照）。
【００３５】
記憶部２（ストレージ）に記憶されている画像データをアルバム用画像データ９として用いる場合、使用者は、ストレージボタンＢ４を操作すればよい。ストレージボタンＢ４の操作後、ネクストボタンＢ６の操作を操作パネル４が受け付けたとき、制御部１は、第１指定画面４ｅを表示パネル４１に表示させる。図６は、第１指定画面４ｅの一例を示す。第１指定画面４ｅは、記憶部２内のフォルダーを選択するための画面である。
【００３６】
制御部１は、記憶部２に設けられているフォルダーを認識する。そして、制御部１は、記憶部２に設けられているフォルダー名の一覧を第１指定画面４ｅに表示させる。なお、制御部１は、記憶部２に記憶されている画像データ（画像ファイル）の一覧を第１指定画面４ｅに表示させてもよい。
【００３７】
各フォルダー名の左側には、第１チェックボックスＣ１が設けられる。第１チェックボックスＣ１を操作することにより、記憶部２のフォルダーを選択することができる。なお、記憶部２に予めフォルダーを作成しておくことができる。操作パネル４は、記憶部２にフォルダーを作成する操作を受け付ける。制御部１は、操作に基づき、記憶部２（ストレージ）にフォルダーを作成する。使用者は、記憶部２にフォルダーを作成できる。
【００３８】
使用者は、フォルダー内に予め、アルバム用画像データ９とする画像データを格納しておく。例えば、コンピューター３００（ＰＣやスマートフォンのような通信可能な機器）は、通信部１３と通信する。画像データを格納するフォルダーを指定して、画像データをコンピューター３００から通信部１３に向けて送信できる。制御部１は、通信部１３が受信した画像データを指定されたフォルダーに格納する。また、画像読取部３が読み取って得た原稿の画像データを指定するフォルダーに格納することもできる。
【００３９】
アルバム用画像データ９とする画像データを携帯型メモリー２００に記憶させている場合、使用者は、メモリーボタンＢ５を操作すればよい。使用者は、携帯型メモリー２００をメモリー通信部６に差し込む。メモリーボタンＢ５の操作後、ネクストボタンＢ６の操作を操作パネル４が受け付けたとき、制御部１は、第２指定画面４ｆを表示パネル４１に表示させる。図７は第２指定画面４ｆの一例を示す。第２指定画面４ｆは、携帯型メモリー２００内のフォルダーを選択するための画面である。
【００４０】
制御部１は、携帯型メモリー２００に設けられているフォルダーを認識する。そして、制御部１は、携帯型メモリー２００に設けられているフォルダー名の一覧を第２指定画面４ｆに表示させる。なお、制御部１は、携帯型メモリー２００に記憶されている画像データ（画像ファイル）の一覧を第２指定画面４ｆに表示させてもよい。
【００４１】
各フォルダー名の左側には、第２チェックボックスＣ２が設けられる。第２チェックボックスＣ２を操作することにより、携帯型メモリー２００に設けられているフォルダーを選択することができる。フォルダー内に予め、アルバム用画像データ９とする画像データを格納しておく。例えば、コンピューター３００でアルバム用画像データ９とする画像データをフォルダーに移動させる処理を行っておく。
【００４２】
第１指定画面４ｅ又は第２指定画面４ｆでネクストボタンＢ８、Ｂ９が操作されたとき、制御部１は、画像データ選択画面４ｇを表示パネル４１に表示させる。図８は画像データ選択画面４ｇの一例を示す。画像データ選択画面４ｇは、記憶部２または携帯型メモリー２００の画像データのなかから、アルバム用画像データ９に用いる画像データを選択するための画面である。第１指定画面４ｅを表示していたとき、制御部１は、第１指定画面４ｅでチェックが入れられたフォルダー内の画像データの縮小画像を画像データ選択画面４ｇ内に表示させる。第２指定画面４ｆを表示していたとき、制御部１は、第２指定画面４ｆでチェックが入れられたフォルダー内の画像データの縮小画像を画像データ選択画面４ｇ内に表示させる。
【００４３】
各縮小画像の左上に第３チェックボックスＣ３が設けられる。使用者は、第３チェックボックスＣ３にチェックを入れることにより、アルバム用画像データ９とする画像データを選択できる。操作パネル４が画像データ選択画面４ｇでネクストボタンの操作を受け付けたとき、制御部１は、第３チェックボックスＣ３にチェックを入れられた縮小画像（選択された縮小画像）に対応する画像データをアルバム用画像データ９として、記憶部２に記憶させる。制御部１は、読み出した画像データをアルバム用画像データ９と扱う。
【００４４】
画像データ選択画面４ｇでネクストボタンＢ１０が操作されたとき、制御部１はオプション設定画面４ｈを表示パネル４１に表示させる。図９はオプション設定画面４ｈの一例を示す。オプション設定画面４ｈはアルバム用画像データ９のサイズやフレームを設定するための画面である。制御部１は、サイズコピーボタンＢ１１、オリジナルサイズボタンＢ１２、及び、フレームコピーボタンＢ１３をオプション設定画面４ｈ内に表示させる。
【００４５】
アルバム用画像データ９のサイズを基準画像データ８に含まれる画像（画像領域８０、写真領域）のサイズにあわせるとき、使用者はサイズコピーボタンＢ１１を操作する。操作パネル４は第１サイズ設定（サイズコピーボタンＢ１１の操作）を受け付ける。第１サイズ設定は、それぞれのアルバム用画像データ９のサイズを画像領域８０と同じサイズとする設定である。第１サイズ設定がなされたとき、制御部１はサイズ調整を行う。サイズ調整は、それぞれのアルバム用画像データ９のサイズを画像領域８０と同じサイズとする処理である。制御部１は、サイズ調整後のアルバム用画像データ９をアルバムデータ９０に含める。
【００４６】
アルバム用画像データ９のサイズを変更しないとき、使用者は、オリジナルサイズボタンＢ１２を操作する。操作パネル４は第２サイズ設定（オリジナルサイズボタンＢ１２の操作）を受け付ける。第２サイズ設定がなされたとき、制御部１は、サイズを調整しないアルバム用画像データ９をアルバムデータ９０に含める。
【００４７】
基準画像データ８で用いられているフレームと同じフレームをアルバムで用いたい場合、使用者はフレームコピーボタンＢ１３を操作する。操作パネル４はフレーム利用設定（フレームコピーボタンＢ１３の操作）を受け付ける。フレーム利用設定は基準画像データ８で用いられているフレームを用いる設定である。フレーム利用設定がなされたとき、制御部１は、基準画像データ８からフレーム画像８１を抽出する。制御部１は、フレーム画像８１を付したアルバム用画像データ９をアルバムデータ９０に含める。オプション設定画面４ｈでエンドボタンＢ１４が操作されたときアルバム作成モードの設定が完了する。
【００４８】
（アルバムの作成処理）
次に、図１０〜図１４を用いて、実施形態に係る画像形成装置１００でのアルバム作成処理の流れの一例を説明する。図１０は、実施形態に係る画像形成装置１００でのアルバム作成処理の流れの一例を示す図である。図１１は、実施形態に係る画像形成装置１００での画像領域８０の抽出の一例を示す図である。図１２、図１４、図１５は、実施形態に係る画像形成装置１００で生成されるアルバムの一例を示す図である。図１３は、実施形態に係るサイズ確認画面４ｉの一例を示す図である。
【００４９】
図１０のスタートは、アルバムの作成処理を開始する時点である。言い換えると、アルバム作成モードの設定が完了した時点（オプション設定画面４ｈでエンドボタンＢ１４が操作された時点）である。
【００５０】
制御部１は、基準画像データ８のうち、画像領域８０（写真領域、写真部分）を認識する（ステップ♯１）。画像領域８０は基準画像データ８の一部の領域である。画像領域８０は、写真のような画像が記された領域である。画像領域８０は、基準画像データ８のうち、余白を除く部分である。言い換えると、制御部１は、基準画像データ８のうち、余白でなく、画像が記された部分を認識（抽出）する。例えば、制御部１は、矩形の画像を画像領域８０として認識する。基準画像データ８が複数の画像領域８０を含む場合、制御部１はそれぞれの画像領域８０を認識する。複数の画像領域８０が抽出されることがある。
【００５１】
図１１を用いて、画像領域８０の認識の一例を説明する。図１１は基準画像データ８を示す。画像読取部３の読み取りに基づき、基準画像データ８が生成される。原稿を読み取った場合、基準画像データ８には余白が含まれる。図１１は、コンタクトガラスに２枚の写真を原稿としてセットした場合の基準画像データ８の一例を示す。図１１のうち、上側の写真は山である。下側の写真は、海である。
【００５２】
制御部１は、基準画像データ８から、画像が記されている領域を画像領域８０として抽出する。例えば、余白（白色）と扱う画素値が予め定められる。制御部１は余白と余白でない部分の境界を定める。４本の直線の境界で囲まれた領域を画像領域８０として抽出する。境界が水平又は垂直となるように、制御部１は画像領域８０を回転させてもよい。図１１の例で言えば、山の写真部分と、海の写真部分が画像領域８０として抽出される。
【００５３】
次に、制御部１は、基準画像データ８がフィルター情報を含むか否かを判断する（ステップ♯２）。フィルター情報は、基準画像データ８で使用された画像フィルター７を示す情報である。制御部１は、使用した画像フィルター７を示す文字が基準画像データ８に含まれているか否かを判断する。例えば、制御部１は、基準画像データ８のＯＣＲ処理を行う。制御部１は、ＯＣＲ処理で得られたテキストデータに、画像フィルター７の名前を示す文字列があるか否かを確認する。画像フィルター７の名前を示す文字列があるとき、制御部１は、基準画像データ８がフィルター情報を含むと判定する（ステップ♯２のＹｅｓ）。この場合、制御部１は、文字列に対応する画像フィルター７が基準画像データ８で使用された画像フィルター７である、と判定する（ステップ♯３）。
【００５４】
画像フィルター７の名前を示す文字列がないとき、制御部１は、基準画像データ８がフィルター情報を含まないと判定する（ステップ♯２のＮｏ）。この場合、制御部１は画像領域８０と類似する処理済データ２１を検索する（ステップ♯４）。
【００５５】
処理済データ２１は、制御部１（画像処理回路１２）が、以前に何れかの画像フィルター７を施して生成された画像データである。アルバムの作成処理の過程で、制御部１は、画像フィルター７を画像データに施すことがある。また、アルバム作成モード以外のジョブを実行するときにも、選択された画像フィルター７を用いて、画像データの色変換がなされることがある。画像フィルター７を用いる画像処理を行ったとき、制御部１は、画像フィルター７による画像処理がなされた画像データを処理済データ２１として、記憶部２に不揮発的に記憶させる。このとき、制御部１は、処理済データ２１に対応付けて、処理済データ２１に用いられた画像フィルター７の記録を記憶部２に不揮発的に記憶させる。
【００５６】
制御部１は、画像領域８０と類似する処理済データ２１を抽出できたか否かを確認する（ステップ♯５）。例えば、制御部１（画像処理回路１２）は、各処理済データ２１と画像領域８０のデータをそれぞれ、同じサイズに変換する。そして、制御部１は各データを同じ色数に減色する。さらに、制御部１は、各データのカラーヒストグラムを生成する。制御部１は、各処理済データ２１のカラーヒストグラムと、画像領域８０のカラーヒストグラムを比較する。制御部１は、カラー値（輝度値）ごとに、処理済データ２１のカラーヒストグラムと画像領域８０のカラーヒストグラムの画素数（頻度）の差の絶対値を求める。制御部１は、絶対値の合計が、予め定められた閾値以下の処理済データ２１を画像領域８０と類似するデータとして抽出する。
【００５７】
画像領域８０が複数ある場合、制御部１は、各画像領域８０のカラーヒストグラムと処理済データ２１を比較する。絶対値の合計が閾値以下の処理済データ２１を複数抽出できたとき、制御部１は、一致度が最も高い（絶対値の合計が最も小さい）処理済データ２１を１つ抽出する。なお、他の手法を用いて、画像領域８０と類似する処理済データ２１を抽出してもよい。
【００５８】
処理済データ２１を抽出できたとき（ステップ♯５のＹｅｓ）、制御部１は、処理済データ２１に対応付けられた画像フィルター７を、画像領域８０で使用された画像フィルター７と判定する（ステップ♯６）。処理済データ２１を抽出できなかったとき（ステップ♯５のＮｏ）、制御部１は、画像領域８０の各画素の画素値に基づき、画像領域８０で使用された画像フィルター７を判定する（ステップ♯７）。
【００５９】
制御部１は、画像領域８０がモノカラー（グレー）の場合、各画素をモノトーンにする（グレー化する）画像フィルター７が用いられたと判定する。画像領域８０にオレンジ色の画素が多い場合、制御部１は、画素値を全体的にオレンジ色（夕焼け色）にする画像フィルター７が用いられたと判定する。例えば、制御部１は、画像領域８０のカラーヒストグラムを生成する。画像領域８０が複数の場合、制御部１は、全ての画像領域８０を対象としたカラーヒストグラムを生成する。そして、制御部１は、最も登場頻度が高い画素値を認識する。
【００６０】
例えば、記憶部２は、画像フィルター７ごとに、画素値の範囲（割り当て）を定義した判定用データ２２を不揮発的に記憶する（図１参照）。例えば、画素値を全体的にオレンジ色（夕焼け色）にする画像フィルター７には、オレンジ色と扱う画素値の範囲が割り当てられる。制御部１は、最も登場頻度が高い画素値が属する範囲を認識する。制御部１は、認識した範囲に対応する画像フィルター７を画像領域８０で使用された画像フィルター７と判定する。なお、他の手法により、使用された画像フィルター７を判定してもよい。
【００６１】
ステップ♯３、ステップ♯６、又は、ステップ♯７で使用された画像フィルター７を判定したとき、制御部１は、判定した画像フィルター７による画像処理を、取得したそれぞれの記アルバム用画像データ９に施す（ステップ♯８）。
【００６２】
なお、画像読取部３を用いて、各アルバム用画像データ９を取得する場合がある。この場合、画像領域８０の認識と同様に、制御部１は、読み取りで得られた画像データのうち余白部分を除去した画像データをアルバム用画像データ９としてもよい。言い換えると、制御部１は、画像読取部３の読み取りで得られた画像データのうち、余白でない部分を抽出してもよい。制御部１は抽出した部分をアルバム用画像データ９としてもよい。
【００６３】
そして、制御部１はアルバムデータ９０を生成する（ステップ♯９）。アルバムデータ９０は、画像処理後（画像フィルター７処理後）のそれぞれのアルバム用画像データ９を含む。制御部１は、生成したアルバムデータ９０に基づく印刷を印刷部５に行わせる（ステップ♯１０）。そして、本フローは終了する（エンド）。
【００６４】
図１２は、第１サイズ設定を行ったときに生成されるアルバムデータ９０の一例である。第１サイズ設定は、アルバム用画像データ９のサイズを基準画像データ８に含まれる画像領域８０と同じサイズとする設定である。この場合、制御部１はサイズ調整を行う。具体的に、制御部１は、それぞれのアルバム用画像データ９のサイズを画像領域８０と同じサイズとする。制御部１は、サイズ調整後のアルバム用画像データ９を並べたアルバムデータ９０を生成する。その結果、図１２に示すように、制御部１は、同じサイズのアルバム用画像データ９を並べた（配列した）アルバムデータ９０を生成する。
【００６５】
操作パネル４は、１ページのアルバムデータ９０に含めるアルバム用画像データ９の枚数の上限の設定を受け付けてもよい。この場合、制御部１は、１ページのアルバムデータ９０内のアルバム用画像データ９の枚数を、設定された上限数までとする。
【００６６】
アルバム用画像データ９よりも画像領域８０の方が小さい場合、制御部１は、切り抜き処理を行う。切り抜き処理により、制御部１は、画像領域８０とサイズが同じアルバム用画像データ９を生成する。例えば、制御部１は、調整前のアルバム用画像データ９の中央部分を切り抜く。この場合、制御部１は、画像領域８０と同じ大きさの切り抜き枠を生成する。制御部１は、切り抜き枠の中心とアルバム用画像データ９の中心をあわせる。制御部１は、アルバム用画像データ９のうち、切り抜き枠の外の画像を消去する。
【００６７】
アルバム用画像データ９よりも画像領域８０の方が大きい場合、制御部１は拡大処理を行う。切り抜き処理により、制御部１は、画像領域８０とサイズが同じアルバム用画像データ９を生成する。例えば、制御部１は、アルバム用画像データ９と画像領域８０の縦方向のサイズが同じになるように、アルバム用画像データ９を縦方向で拡大する。次に、制御部１は、アルバム用画像データ９と画像領域８０の横方向のサイズが同じになるように、アルバム用画像データ９を横方向で拡大する。
【００６８】
縦方向では、アルバム用画像データ９の方が画像領域８０よりも大きく、横方向では、アルバム用画像データ９の方が画像領域８０よりも小さい場合がある（細長い場合）。また、反対に、縦方向ではアルバム用画像データ９の方が画像領域８０よりも小さく、横方向では、アルバム用画像データ９の方が画像領域８０よりも大きい場合がある（幅広な場合）。この場合、まず、制御部１は、切り抜き処理を行って、画像領域８０からはみ出す部分を消去する。続いて、制御部１は、拡大処理を行って、切り抜かれたアルバム用画像データ９を縦方向、又は、横方向に拡大（伸長）する。
【００６９】
なお、基準画像データ８が複数の画像領域８０を含むことがある。それぞれの画像領域８０のサイズが異なることがある。基準画像データ８が複数の画像領域８０を含む場合、制御部１は、自動的に、１つの画像領域８０を選択してもよい。そして、制御部１は、各アルバム用画像データ９のサイズを選択した画像領域８０と同じサイズとしてもよい。
【００７０】
基準画像データ８が複数の画像領域８０を含む場合、サイズ確認画面４ｉを表示させてもよい。図１３はサイズ確認画面４ｉの一例を示す。例えば、制御部１は、最大サイズ選択画像ｉ１と最小サイズ選択画像ｉ２をサイズ確認画面４ｉに表示させる。最大サイズ選択画像ｉ１は、アルバム用画像データ９のサイズを、サイズが最も大きい画像領域８０にあわせるための画像である。最小サイズ選択画像ｉ２は、アルバム用画像データ９のサイズを、サイズが最も小さい画像領域８０にあわせるため画像である。各アルバム用画像データ９のサイズを最大の画像領域８０のサイズにあわせるとき、使用者は最大サイズ選択画像ｉ１を操作（タッチ）する。各アルバム用画像データ９のサイズを最小の画像領域８０のサイズにあわせるとき、使用者は最小サイズ選択画像ｉ２を操作（タッチ）する。
【００７１】
操作パネル４は、最大サイズ選択画像ｉ１又は最小サイズ選択画像ｉ２への操作を受け付ける。最大サイズ選択画像ｉ１が操作されたとき、制御部１は、各アルバム用画像データ９のサイズを最大の画像領域８０のサイズに調整する。最小サイズ選択画像ｉ２が操作されたとき、制御部１は、各アルバム用画像データ９のサイズを最小の画像領域８０のサイズに調整する。
【００７２】
図１４は、第２サイズ設定を行ったときに生成されるアルバムデータ９０の一例である。第２サイズ設定は、アルバム用画像データ９のサイズを変更しない設定である。この場合、制御部１はサイズ調整を行わない。各アルバム用画像データ９のサイズが異なるとき、図１４に示すように、制御部１は、異なるサイズのアルバム用画像データ９が並べられたアルバムデータ９０を生成する。
【００７３】
図１５は、フレーム利用設定を行ったときに生成されるアルバムデータ９０の一例である。フレーム利用設定は、基準画像データ８で用いられているフレームを用いる設定である。図１５は、ポラロイド（登録商標）写真風のフレームを用いて印刷された原稿を読み取った場合に生成されるアルバムデータ９０の一例を示す。
【００７４】
フレーム利用設定が行われたとき、制御部１は、基準画像データ８の画像領域８０の周辺の予め定められた範囲の画像をフレームと判断する。基準画像データ８が含む画像領域８０が１つの場合、制御部１は、画像領域８０周辺の予め定められた範囲の画像をフレームと認識する。基準画像データ８が複数の画像領域８０を含む場合、制御部１は、各画像領域８０の周辺の予め定められた範囲の画像が共通しているか否かを確認する。共通している場合、共通する画像をフレームと認識する。共通していない場合、制御部１はフレーム無し、と判断する。フレームを認識できたとき、制御部１は、基準画像データ８からフレーム画像８１を抽出する。そして、制御部１は、各アルバム用画像データ９にフレーム画像８１を付す。制御部１は、フレーム画像８１を付したアルバム用画像データ９をアルバムデータ９０に含める。
【００７５】
なお、フレーム利用設定が行われたとき、制御部１はフレーム選択画面を表示させてもよい。フレーム選択画面には、予め用意されたフレーム画像８１の縮小画像が並べて表示される。例えば、写真立てを模したフレーム画像８１の縮小画像が並べて表示される。操作パネル４は、縮小画像の操作を、フレーム画像８１を選択する操作として受け付ける。制御部１は、操作された縮小画像に対応するフレーム画像８１をアルバム用画像データ９に付す。
【００７６】
フレーム画像８１の内枠（写真、画像を収める領域）よりもアルバム用画像データ９が大きい場合、制御部１は、切り抜き処理を行う。切り抜き処理は、アルバム用画像データ９のサイズを画像領域８０と同じサイズに調整する場合と同様である。フレーム画像８１の内枠よりもアルバム用画像データ９が小さい場合、制御部１は、拡大処理を行う。拡大処理も、アルバム用画像データ９のサイズを画像領域８０と同じサイズに調整する場合と同様である。縦方向、又は、横方向の一方のみ、フレーム画像８１の内枠よりもアルバム用画像データ９が大きいとき、制御部１は、切り抜き処理と拡大処理を行う。
【００７７】
このようにして、実施形態に係る画像形成装置１００は、操作パネル４、印刷部５、画像読取部３、記憶部２、制御部１を含む。操作パネル４は、操作を受け付ける。印刷部５は印刷を行う。画像読取部３は、原稿を読み取って基準画像データ８を生成する。記憶部２は、複数の画像フィルター７を記憶する。制御部１は、アルバムに含める画像データであるアルバム用画像データ９を取得する。制御部１は、基準画像データ８に含まれる画像領域８０を認識する。制御部１は、画像領域８０で使用された画像フィルター７を判定する。制御部１は、使用されたと判定した画像フィルター７による画像処理を、取得したそれぞれのアルバム用画像データ９に施す。制御部１は、画像フィルター７による画像処理後のアルバム用画像データ９を含むアルバムデータ９０を生成する。制御部１は、生成したアルバムデータ９０を印刷部５に印刷させる。
【００７８】
以前に画像フィルター７を施した写真に基づくデータ（基準画像データ８）を画像形成装置１００に入力するだけで、使用された画像フィルター７を判定することができる。以前に使用した画像フィルター７を忘れても、使用した画像フィルター７を判定することができる。また、全てのアルバム用画像データ９に、同じ画像フィルター７による画像処理を施すことができる。アルバムに含める画像データごとに、使用する画像フィルター７を選択しなくてすむ。自分好みのフィルターを、全ての画像データに施したアルバムを容易に作成することができる。
【００７９】
制御部１は、画像領域８０の各画素の画素値に基づき、画像領域８０で使用された画像フィルター７を判定してもよい。基準画像データ８に用いられた画像フィルター７を判定することができる。
【００８０】
制御部１は、使用された画像フィルター７であるフィルター情報を基準画像データ８が含むか否かを判断する。制御部１は、基準画像データ８が含むフィルター情報に基づき、画像領域８０で使用された画像フィルター７を判定してもよい。基準画像データ８に含まれる情報に基づき、基準画像データ８（画像領域８０）に用いられた画像フィルター７を正確に判定することができる。
【００８１】
制御部１は、いずれかの画像フィルター７による画像処理がなされた画像データである処理済データ２１を記憶部２に記憶させる。制御部１は、処理済データ２１に対応付けて、処理済データ２１に用いられた画像フィルター７の記録を記憶部２に記憶させる。制御部１は、画像領域８０と類似する処理済データ２１を検索する。類似する処理済データ２１を抽出できたとき、制御部１は、抽出した処理済データ２１に対応付けられた画像フィルター７を、画像領域８０で使用された画像フィルター７と判定してもよい。過去の画像フィルター７を用いた画像処理の記録に基づき、基準画像データ８に用いられた画像フィルター７を正確に判定することができる。
【００８２】
操作パネル４は、それぞれのアルバム用画像データ９のサイズを画像領域８０と同じサイズとする第１サイズ設定を受け付ける。第１サイズ設定がなされたとき、制御部１は、それぞれのアルバム用画像データ９のサイズを画像領域８０と同じサイズとするサイズ調整を行う。制御部１は、サイズ調整後のアルバム用画像データ９を含むアルバムデータ９０を生成する。アルバムに含める画像データのサイズを設定することができる。アルバムに含める画像データのサイズを、基準画像データ８（画像領域８０）にあわせることができる。
【００８３】
制御部１は、切り抜き処理と拡大処理の何れか一方、又は、両方を行って、サイズ調整を行う。自動的にアルバムに含める画像データのサイズを、適切なサイズに自動的に調整することができる。
【００８４】
操作パネル４は、アルバム用画像データ９のサイズを変更しない第２サイズ設定を受け付ける。第２サイズ設定がなされたとき、制御部１は、サイズを調整しないアルバム用画像データ９を含むアルバムデータ９０を生成する。アルバムに含める画像データのサイズを設定することができる。アルバムに含める画像データのサイズを変更しないようにすることができる。
【００８５】
操作パネル４は、基準画像データ８で用いられているフレームを用いるフレーム利用設定を受け付ける。制御部１は、フレーム利用設定がなされたとき、基準画像データ８からフレーム画像８１を抽出する。制御部１は、フレーム画像８１を付したアルバム用画像データ９を含むアルバムデータ９０を生成する。基準画像データ８に含まれるフレーム画像８１を、各アルバム用画像データ９に付すことができる。各アルバム用画像データ９にフレーム画像８１が付されたアルバムを容易に作成することができる。
【００８６】
操作パネル４が画像読取部３を用いてアルバム用画像データ９を取得する設定を受け付けたとき、制御部１は、アルバム用画像データ９の取得のための読み取りを画像読取部３に行わせる。原稿（印刷物）を読み取って得られた画像データをアルバム用画像データ９として用いることができる。
【００８７】
操作パネル４が記憶部２からアルバム用画像データ９を取得する設定を受け付けたとき、制御部１は、アルバム用画像データ９とする画像データを記憶部２に読み出させる。記憶部２に不揮発的に記憶されているデータの中から、アルバム用画像データ９に用いる画像データを取得することができる。
【００８８】
画像形成装置１００は、携帯型メモリー２００を接続可能であり、携帯型メモリー２００の読み書きを行うためのメモリー通信部６を含む。操作パネル４が携帯型メモリー２００からアルバム用画像データ９を取得する設定を受け付けたとき、制御部１は、アルバム用画像データ９とする画像データの携帯型メモリー２００からの読み出しをメモリー通信部６に行わせる。携帯型メモリー２００に記憶されたデータの中から、アルバム用画像データ９に用いる画像データを取得することができる。
【００８９】
本発明の実施形態を説明したが、本発明の範囲はこれに限定されるものではなく、発明の主旨を逸脱しない範囲で種々の変更を加えて実施することができる。
【産業上の利用可能性】
【００９０】
本発明は、画像フィルターを用いて画像処理を行う画像形成装置に使用可能である。
【符号の説明】
【００９１】
１００  画像形成装置                  １      制御部
２      記憶部                        ２１    処理済データ
３      画像読取部                    ４      操作パネル
５      印刷部                        ６      メモリー通信部
７      画像フィルター                ８      基準画像データ
８０    画像領域                      ８１    フレーム画像
９      アルバム用画像データ          ９０    アルバムデータ
２００  携帯型メモリー
【図１】
2019140600.tif 000003
【図２】
2019140600.tif 000004
【図３】
2019140600.tif 000005
【図４】
2019140600.tif 000006
【図５】
2019140600.tif 000007
【図６】
2019140600.tif 000008
【図７】
2019140600.tif 000009
【図８】
2019140600.tif 000010
【図９】
2019140600.tif 000011
【図１０】
2019140600.tif 000012
【図１１】
2019140600.tif 000013
【図１２】
2019140600.tif 000014
【図１３】
2019140600.tif 000015
【図１４】
2019140600.tif 000016
【図１５】
2019140600.tif 000017